(57)【要約】【課題】単色光から無彩色光への変化を利用した呼吸リズムを整えるための照明装置、制御装置、及び制御方法を提供する。【解決手段】照明装置は、少なくとも第１光を発する第１光源、及び第１光と異なる色度を有する第２光を発する第２光源を含む複数の光源と、少なくとも第１光、及び第２光の一方の出力を時間的に変化させる制御部と、を備え、制御部は、複数の光源が発する光を合算した合算光の色度を、第１色度と、第１色度よりも刺激純度の低い第２色度との間で連続的に反復して変化させる。【選択図】図１
2019098134.tif 000002
【特許請求の範囲】
【請求項１】
少なくとも第１光を発する第１光源、及び前記第１光と異なる色度を有する第２光を発する第２光源を含む複数の光源と、
前記少なくとも前記第１光、及び前記第２光の一方の出力を時間的に変化させる制御部と、を備え、
前記制御部は、前記複数の光源が発する光を合算した合算光の色度を、第１色度と、前記第１色度よりも刺激純度の低い第２色度との間で連続的に反復して変化させる
照明装置。
【請求項２】
前記第１色度に対して、前記第２色度は、ＪＩＳ  Ｚ８１１０−１９９５で定義される白色の基本色名領域円の外側にある
請求項１に記載の照明装置。
【請求項３】
前記第２色度は、等エネルギー白色点の色度よりも、マクアダム楕円において少なくとも３ステップだけ前記第１色度に近い
請求項１又は２に記載の照明装置。
【請求項４】
前記第１色度に対して、前記第２色度は、
楕円式：中心座標（0.333,0.333)、長半径ａ（0.047）、短半径b（0.019）、長軸のx軸に対する傾きθ（deg）（59）
で定義される白色の基本色名領域円の外側にある
請求項１に記載の照明装置。
【請求項５】
前記第１色度に対して、前記第２色度は、
楕円式：中心座標（0.333,0.333)、長半径ａ（0.059）、短半径b（0.024）、長軸のx軸に対する傾きθ（deg）（59）
で定義される白色の基本色名領域円の外側にある
請求項１に記載の照明装置。
【請求項６】
前記第１色度に対して、前記第２色度は、
楕円式：中心座標（0.333,0.333)、長半径ａ（0.070）、短半径b（0.025）、長軸のx軸に対する傾きθ（deg）（59）
で定義される白色の基本色名領域円の外側にある
請求項１に記載の照明装置。
【請求項７】
前記合算光の強度において、前記第１色度における前記強度が前記第２色度における前記強度よりも大きい
請求項１から６のいずれか１項に記載の照明装置。
【請求項８】
時間に対する前記色度の変化割合において、前記第１色度近傍での前記変化割合が前記第２色度近傍での前記変化割合より大きい
請求項１から７のいずれか１項に記載の照明装置。
【請求項９】
時間に対する前記合算光の強度の変化割合は、前記第１色度近傍での前記変化割合が前記第２色度近傍での前記変化割合より大きい
請求項１から８のいずれか１項に記載の照明装置。
【請求項１０】
前記第１色度と前記第２色度との間で連続的に反復して変化させる周期が、単調に増加する
請求項１から９のいずれか１項に記載の照明装置。
【請求項１１】
前記第１色度を選択できる入力手段を有した
請求項１から１０のいずれか１項に記載の照明装置。
【請求項１２】
時刻t1で、前記第１色度よりも刺激純度の低い第２色度との間で連続的に反復して変化させる周期が第１周期T1であり、刺激純度の差が第１差D1であり、
時刻t1と異なる時刻t2で、前記第１色度よりも刺激純度の低い第２色度との間で連続的に反復して変化させる周期が第２周期T2であり、刺激純度の差が第１差D1であるとき、
第１周期T1＜第２周期T2なら、第１差D1＞第２差D2である
請求項１から１１のいずれか１項に記載の照明装置。
【請求項１３】
前記時刻t1及び前記時刻t2がt1＜t2であるとき、
前記第１周期及び前記第２周期は、T1＜T2を満たし、
前記第１差及び前記第２差は、D1＞D2を満たす
請求項１から１２のいずれか１項に記載の照明装置。
【請求項１４】
前記時刻t1及び前記時刻t2がt1＜t2であるとき、
前記第１周期及び前記第２周期は、T1＞T2を満たし、
前記第１差及び前記第２差は、D1＜D2を満たす
請求項１から１２のいずれか１項に記載の照明装置。
【請求項１５】
前記合算光の刺激純度が高いほど、前記合算光の強度は大きい
請求項１から１３のいずれか１項に記載の照明装置。
【請求項１６】
請求項１に記載の第１照明装置と、
請求項１に記載の第２照明装置と、
を備える照明システムであって、
前記第２照明装置は、前記合算光の色度を連続的に反復して変化させるタイミングに関連付けられた信号を、前記第１照明装置から受け取る受信機を有し、
前記第２照明装置の前記制御部は、前記受け取られた信号に応答して前記合算光の色度を連続的に反復して変化させる
照明システム。
【請求項１７】
少なくとも第１光源によって発せられる第１光、及び第２光源によって発せられる第２光の一方の出力を時間的に変化させる制御信号を発生する制御部と、前記制御信号に応じて前記第１光源及び前記第２光源の少なくとも１つを駆動する駆動部とを備え、
前記制御部は、前記第１光及び前記第２光を含む合算した合算光の色度を、第１色度と、前記第１色度よりも刺激純度の低い第２色度との間で連続的に反復して変化させる
制御装置。
【請求項１８】
少なくとも第１光源によって発せられる第１光、及び第２光源によって発せられる第２光の一方の出力を時間的に変化させる制御方法であって、
前記第１光及び前記第２光を含む合算した合算光の色度を、第１色度と、前記第１色度よりも刺激純度の低い第２色度との間で連続的に反復して変化させるステップを含む
制御方法。
【発明の詳細な説明】
【技術分野】
【０００１】
本開示は、照明装置と、照明に用いられる制御装置及び制御方法とに関する。
【背景技術】
【０００２】
呼吸リズムに近い周波数で照明光の輝度を変化させることによって、ユーザが呼吸のリズムを整えるのを容易にする方法が知られている。
【先行技術文献】
【特許文献】
【０００３】
【特許文献１】特許第３９７８３３４号明細書
【特許文献２】特許第４１２５００１号明細書
【特許文献３】特許第４１４２９４４号明細書
【特許文献４】特許第４２３７９９７号明細書
【発明の概要】
【発明が解決しようとする課題】
【０００４】
しかし上述の背景技術では、単色光の明滅又は単色から他の単色への変化が用いられているに過ぎない。従来の技術では無彩色の光が用いられていない。そのためユーザが息を吐く時に無彩色の光からグレーをイメージし、リラックスするということを実現しにくいという課題がある。この課題は本願の発明者らが見出したものである。
【課題を解決するための手段】
【０００５】
ある実施形態では、照明装置は、少なくとも第１光を発する第１光源、及び前記第１光と異なる色度を有する第２光を発する第２光源を含む複数の光源と、前記少なくとも前記第１光、及び前記第２光の一方の出力を時間的に変化させる制御部と、を備え、前記制御部は、前記複数の光源が発する光を合算した合算光の色度を、第１色度と、前記第１色度よりも刺激純度の低い第２色度との間で連続的に反復して変化させる。
【０００６】
ある実施形態では、照明システムは、前記照明装置である第１照明装置と、前記照明装置である第２照明装置と、を備え、前記第２照明装置は、前記合算光の色度を連続的に反復して変化させるタイミングに関連付けられた信号を、前記第１照明装置から受け取る受信機を有し、前記第２照明装置の前記制御部は、前記受け取られた信号に応答して前記合算光の色度を連続的に反復して変化させる。
【０００７】
ある実施形態では、制御装置は、少なくとも第１光源によって発せられる第１光、及び第２光源によって発せられる第２光の一方の出力を時間的に変化させる制御信号を発生する制御部と、前記制御信号に応じて前記第１光源及び前記第２光源の少なくとも１つを駆動する駆動部とを備え、前記制御部は、前記第１光及び前記第２光を含む合算した合算光の色度を、第１色度と、前記第１色度よりも刺激純度の低い第２色度との間で連続的に反復して変化させる。
【０００８】
ある実施形態では、制御方法は、少なくとも第１光源によって発せられる第１光、及び第２光源によって発せられる第２光の一方の出力を時間的に変化させる制御方法であって、前記第１光及び前記第２光を含む合算した合算光の色度を、第１色度と、前記第１色度よりも刺激純度の低い第２色度との間で連続的に反復して変化させるステップを含む。
【発明の効果】
【０００９】
単色光から無彩色光への変化を利用した呼吸リズムを整えるための照明装置、照明システム、制御装置、及び制御方法を提供する。
【図面の簡単な説明】
【００１０】
【図１】照明装置のブロック図である。
【図２】第１光と第２光との間で変化する合算光の色度変化を示す図である。
【図３】ユーザの補色残像の違和感を低減するのに好ましい色度の変化を示す図である。
【図４】ある実施形態における光源の合算光の、第１色度及び第２色度の間での色度変化を示す図である。
【図５】ある実施形態における光源の合算光の、第１色度及び第２色度の間での色度変化を示す図である。
【図６】ある実施形態における光源の合算光の、第１色度及び第２色度の間での色度変化を示す図である。
【図７】光源の合算光の色度と第２色度との色度差変化を示す図である。
【図８】制御部の構造を示すブロック図である。
【図９】色度変化を光源の出力に与える処理のアルゴリズムを示すフロー図である。
【図１０】合算光の刺激純度の周期的変化の振幅及び周期を表す図である。
【図１１】合算光の刺激純度の周期的変化の振幅及び周期を表す図である。
【図１２】合算光の刺激純度の周期的変化の振幅及び周期を表す図である。
【発明を実施するための形態】
【００１１】
概要
図１は、照明装置１００のブロック図である。照明装置１００は、入力装置１１０、制御装置１２０、及び光源１３０を含む。制御装置１２０は、制御部１２２及び駆動部１２４を含む。
【００１２】
照明装置１００は、直接照明又は間接照明、及びそれらの組み合わせを実現する。直接照明は、例えば、シーリングライト、ダウンライトである。間接照明は、例えば、コファー照明、コーニス照明、及びコーブ照明、並びにこれらの組み合わせである。照明装置１００は、光源１３０の光の色度の時間的ゆらぎにより、ユーザにリラックス感を与えたり、呼吸の繰り返しのリズムを合わせやすくしたりする。照明装置１００は、典型的には屋内のユーザがリラックスしようとしている近傍に配置される。
【００１３】
入力装置１１０は、ユーザが選んだ照明装置１００の動作パラメータを制御部１２２に伝える。そのような動作パラメータは、例えば、照明装置１００のオン、オフや、照明装置１００の光の色度の時間的変化の周期を表す。入力装置１１０は、例えば、機械的又は電子的なスイッチである。入力装置１１０は、照明装置１００の筐体上に設けられてもよく、照明装置１００とは別個の筐体に設けられてもよい。前者の場合、入力装置１１０は、制御部１２２とは筐体内に設けられた配線で結合される。後者の場合、入力装置１１０は、制御部１２２とは無線で結合される。無線での結合は、例えば、赤外光又は電磁波による動作パラメータの伝送によって実現される。
【００１４】
制御部１２２は、光源１３０から放射される光の色度を時間的に変化させる制御信号を発生し、駆動部１２４に送る。制御部１２２は、例えば、プロセッサ及びメモリで実現され、後述の制御方法を実現する。
【００１５】
駆動部１２４は、制御部１２２から制御信号を受け取り、光源１３０を駆動する。駆動部１２４は、制御信号に基づいて、光源１３０から放射される光の色度を時間的に変化させる。駆動部１２４は、例えば、パルス幅変調（ＰＷＭ）によって光源１３０の出力を変化させる。
【００１６】
光源１３０は、例えば、発光ダイオード（ＬＥＤ）である。ある実施形態では、光源１３０は、複数のグループのＬＥＤ群を含む。図１の実施形態では、光源１３０は、第１光源１３２及び第２光源１３４を含む。第１光源１３２が第１光を発し、第２光源１３４が第２光を発するとする。本実施形態では、第２光は、第１光と異なる色度を有する。
【００１７】
制御部１２２は、少なくとも第１光及び第２光の一方の出力を時間的に変化させることによって、第１光源１３２が発する第１光及び第２光源１３４が発する第２光を合算した合算光の色度を、第１色度と、第１色度よりも刺激純度の低い第２色度との間で連続的に反復して変化させる。第１色度は有彩色であり、第２色度は無彩色、又は第１色度よりは無彩色に近い色である。この構成により、照明装置１００は、ユーザが有彩色と無彩色との間で色度が変化する光源１３０に合わせて呼吸を整えることができるという効果を有する。「連続的」とは、ヒトの目に連続的である認識できる程度であればよく、認識できない程度の不連続点を含んでもよい。「反復」とは、例えば色度の変化が複数回、繰り返されることを意味する。
【００１８】
第１光源１３２及び第２光源１３４は、例えば、Ｒ（赤）Ｗ（白）、Ｇ（緑）Ｗ、Ｂ（青）Ｗ、ＲＧ、ＹＢ等のうちの一つの組み合わせの第１光及び第２光を発する。例えば、第１光源１３２は、Ｒの第１光を発し、第２光源１３４は、Ｗの第２光を発する。
【００１９】
光源１３０は、３つのグループのＬＥＤ群（第１光源、第２光源、及び第３光源）を含んでもよい。この場合、第１光源、第２光源、及び第３光源は、例えばＲ（主波長λd：610 nm）、Ｇ（主波長λd：530 nm）、Ｂ（主波長λd：450 nm）をそれぞれ発する。
【００２０】
光源１３０は、４つのグループのＬＥＤ群（第１光源、第２光源、第３光源、及び第４光源）を含んでもよい。この場合、第１光源、第２光源、第３光源、及び第４光源は、例えばＲ、Ｇ、Ｂ、及びＷを発する。代替として、第１光源、第２光源、第３光源、及び第４光源は、例えばＲ（主波長λd：620 nm）、Ｙ（黄）（主波長λd： 570 nm）、Ｇ（主波長λd：525 nm）、Ｂ（主波長λd：460 nm）をそれぞれ発する。
【００２１】
照明装置１００は、入力装置１１０、制御装置１２０、及び光源１３０を含んでもよいが、入力装置１１０を含まなくてもよい。この場合は、入力装置１１０は、別個の要素として実現される。さらに制御装置１２０だけを筐体に設け、光源１３０を外付けにして実現してもよい。
【００２２】
図２は、第１光と第２光との間で変化する合算光の色度変化２００を示す図である。点２０１は、等エネルギー白色を表す。領域２０２は、JIS Z 8110-1995  色の表示方法−光源色の色名にて定義される基本色名「白」の領域を表す。制御部１２２は、合算光２１０が例えば第１光の第１色度２１１と第２光の第２色度２１２との間を連続的に往復するよう変化させる。すなわち合算光２１０は、第１色度２１１から第２色度２１２へと変化し、再び第１色度２１１へ戻る。第１色度２１１から第２色度２１２への変化において、典型的には色度は連続的に変化する。色度の連続的な変化は、ユーザのリラックス効果を改善するために好ましい。この例では、第１光の第１色度２１１は青い光であり、第２光の第２色度２１２は白ではない薄い青い光である。ユーザは、合算光２１０が第１色度２１１（有彩色）の近傍で吸気を行い、第２色度２１２（無彩色）の近傍で呼気を行う。よって、知覚的無彩色（呼気）と、有彩色（吸気）との間で繰り返して変化させることで、違和感なく呼吸リズムを同調させることができる。つまり色変化による呼吸リズムの誘導を実現できる。
【００２３】
有彩色の光から無彩色の光への変化を利用してユーザをリラックスさせることは、従来、知られておらず本発明者らが新たに見出した知見である。本明細書では、無彩色とは彩度がゼロである場合には限定されず、有彩色に比べて十分に彩度をユーザに感じさせない色をいう。
【００２４】
合算光２１０は、青系の色には限定されず、任意の適切な色であり得る。例えば合算光２２０が第１光の第１色度２２１と第２光の第２色度２２２との間を連続的に往復するよう変化させられてもよい。この場合、第１色度２２１はオレンジ色の光であり、第２色度２２２は白ではない薄いオレンジ色の光である。
【００２５】
以下の説明では第１光の第１色度として点２１１を、第２光の第２色度として図２の点２１２を例として用いるが、青い系統の色度には限定されず、任意の適切な色度が用いられ得る。
【００２６】
第２光２１２が点２０１に十分に近い領域に入ると、ユーザは、第１光２１１の補色残像（無彩色光における補色残像）を感じることがある。これはユーザが呼吸のリズムを光源１３０に合わせる時の妨げになり得る。本願発明者らは、このような補色残像による違和感を課題として見出した。例えば第１色度２１２に対して、第２色度２１２は、ＪＩＳ  Ｚ８１１０−１９９５で定義される白色の基本色名領域円２０２の外側にある。ここでＪＩＳ  Ｚ８１１０−１９９５で定義される白色の基本色名領域円２０２は、マクアダム楕円２５ステップとして定義され、楕円式：中心座標（0.3333,0.3333)、長半径ａ（0.058675）、短半径b（0.02405）、長軸のx軸に対する傾きθ（deg）（58.984）によって規定される。このように光源１３０が発する合算光２１０の色度を変化させれば、ユーザが感じる補色残像の違和感を低減できるという効果がある。
【００２７】
他の実施形態では、第２色度２１２は、等エネルギー白色点２０１の色度よりも、マクアダム楕円において少なくとも３ステップだけ第１色度２１１に近い。この方法によっても、第１光２１１から第２光２１２への変化が遅い速度の場合は、ユーザの補色残像の違和感を低減できる。
【００２８】
ゆらぎ変動
以下に有彩色（赤、緑、青の３色）を起点に，無彩色（等エネルギー白色、約５５００Ｋ）へとゆらぎ変動させた際の補色を感じ始める色度と、無彩色（白色）を感じ始める色度とを求める。色度は表１の通りであり、注視点の輝度は３０cd/m2の一定で、変動周波数は約０．０３Ｈｚ（３３秒周期）、０．１Ｈｚ（１０秒周期）、０．３Ｈｚ（３．３秒周期）の３水準である。刺激純度とは，JIS Z 8113  照明用語−03073で定義され，ここではパーセント表示として100倍した値で表記する．
【００２９】
【表１】
2019098134.tif 000003
【００３０】
簡易検討実験は、以下のように行う。
【００３１】
１．被験者をゆらぎ変動させた状態に順応（５分程度）させる。
【００３２】
２．実験者は被験者に有彩色点を起点にスタートの合図を出す。
【００３３】
３．被験者は，無彩色へと向かって変動する途中で（１）補色を感じ始めた時点をボタン押下にて回答する。
【００３４】
４．各色に対して，上記２、３を繰り返し、平均値を基に閾値色度を算出する。反復は８回程度行う。
【００３５】
表２は実験結果を示す。
【００３６】
【表２】
2019098134.tif 000004
【００３７】
以上から、周波数が高くなると補色ポイントが白色点に近づくことが分かる。
【００３８】
また刺激純度３水準に対して、同様に補色知覚色度を被験者に回答させた。実験は、被験者２名に対して、光色（３水準）：赤（主波長λd：615 nm）、緑（主波長λd：505 nm）、青（主波長λd：465 nm）、純度（３水準）：32〜99、周波数：0.1 Hz、強度（注視点の輝度）：30 cd/m2の条件で行った。表３は、提示有彩色色度を示し、表４は、補色を感じ始めた色度の実験結果を示す。
【００３９】
【表３】
2019098134.tif 000005
【００４０】
【表４】
2019098134.tif 000006
【００４１】
以上から、純度が低くなると補色ポイントが白色点に近づくことがわかる。マクアダム楕円で補色知覚色度は、緑の場合は３０ステップであり、赤の場合は２５ステップであり、青の場合は２０ステップの領域である。よって、２０〜３０ステップのマクアダム楕円領域外で、白色ポイントに近づく色度を終点とするのが好ましい。
【００４２】
有彩色及び無彩色間での色度変化
図３は、ユーザの補色残像の違和感を低減するのに好ましい色度の変化３００を示す図である。表２〜表４の検討結果から色によって補色を感じ始める色度には差異があることがわかる。図３において点３０１は、等エネルギー白色を表す。例えば赤の場合は、第１色度（有彩色）及び第２色度（無彩色）は、範囲３１０の中で変化させられ得る。緑の場合は、第１色度（有彩色）及び第２色度（無彩色）は、範囲３２０の中で変化させられ得る。青の場合は、第１色度（有彩色）及び第２色度（無彩色）は、範囲３３０の中で変化させられ得る。いずれの場合も第２色度があまり点３０１に近すぎるとユーザに補色残像の違和感を与えることになり得る。すなわち、第２色度は、等エネルギー白色の点３０１の近傍の、後述する所定の領域には含まれないことが、ユーザに補色残像の違和感を与えにくくするためには好ましい。
【００４３】
色度の管理には、色差感覚に最も合致する指標として、マクアダム楕円（MacAdam ellipses）が用いられる（例えばIEC 60082 Annex D Chromaticity co-ordinatesを参照）。ある実施形態においては、第１色度２１１に対して、第２色度２１２は、楕円式：中心座標（0.333,0.333)、長半径ａ（0.047）、短半径b（0.019）、長軸のx軸に対する傾きθ（deg）（59）で定義される白色の基本色名領域円の外側にある。この領域は、マクアダム楕円で２０ステップに相当する。これによりユーザが感じる補色残像の違和感を低減できる。
【００４４】
さらに好ましくは、第１色度２１１に対して、第２色度２１２は、楕円式：中心座標（0.333,0.333)、長半径ａ（0.059）、短半径b（0.024）、長軸のx軸に対する傾きθ（deg）（59）で定義される白色の基本色名領域円の外側にある。この領域は、マクアダム楕円で２５ステップに相当する。これによりユーザが感じる補色残像の違和感をさらに低減できる。
【００４５】
最も好ましくは、第１色度２１１に対して、第２色度２１２は、楕円式：中心座標（0.333,0.333)、長半径ａ（0.070）、短半径b（0.025）、長軸のx軸に対する傾きθ（deg）（59）で定義される白色の基本色名領域円の外側にある。この領域は、マクアダム楕円で３０ステップに相当する。これにより全ての色について、ユーザが感じる補色残像の違和感をさらに低減できる。
【００４６】
図４は、ある実施形態における光源１３０の合算光の、第１色度及び第２色度の間での色度変化４００を示す図である。点４０１は、等エネルギー白色を表し、領域４０２は、例えば、上述のマクアダム楕円である。第１光源１３２は、第１色度４１０の光を発し、第２光源１３４は、第２色度４２０の光を発する。ここで第２光源１３４の光の強度を固定し（制御せず）、第１光源１３２の光の強度を変化させる（制御する）。光源１３０が全体として発する合算光は、第１色度４１５から第２色度４２０の範囲内で連続的に変化させることができる。例えば、第１光源１３２の光の強度が最大のとき、合算光は第１色度４１５であり、第１光源１３２の光の強度がゼロのとき、合算光は第２色度４２０である。このような構成により、２つの光源のうち１つを制御することなく、有彩色と無彩色との間で合算光を変化させることができる。すなわち時間的に変化させる光源は、最低１つあれば、色度座標上に示される第１光の色度と第２光の色度とを結ぶ直線上において、合成光の色度を移動させることができる。
【００４７】
図５は、ある実施形態における光源１３０の合算光の、第１色度及び第２色度の間での色度変化５００を示す図である。点５０１は、等エネルギー白色を表し、領域５０２は、例えば、上述のマクアダム楕円である。第１光源１３２は、第１色度５１０の光を発し、第２光源１３４は、第２色度５２０の光を発する。ここで第１光源１３２の光の強度を固定し（制御せず）、第２光源１３４の光の強度を変化させる（制御する）。光源１３０が全体として発する合算光は、第１色度５１０から第２色度５１５の範囲内で連続的に変化させることができる。例えば、第２光源１３４の光の強度がゼロのとき、合算光は第１色度５１０であり、第２光源１３４の光の強度が最大のとき、合算光は第２色度５１５である。このような構成により、２つの光源のうち１つを制御することなく、有彩色と無彩色との間で合算光を変化させることができる。
【００４８】
図６は、ある実施形態における光源１３０の合算光の、第１色度及び第２色度の間での色度変化６００を示す図である。図６において光源１３０は、第１光源〜第３光源の３つの光源を有する。点６０１は、等エネルギー白色を表し、領域６０２は、例えば、上述のマクアダム楕円である。第１光源は、色度６１０の光を発し、第２光源は、色度６２０の光を発し、第３光源は、色度６３０の光を発する。ここで第１光源〜第３光源の光の強度を変化させる（制御する）。光源１３０が全体として発する合算光は、第１色度６１５から第２色度６１６の範囲内で連続的に変化させることができ、第１色度６２５から第２色度６２６の範囲内で連続的に変化させることができ、さらに第１色度６３５から第２色度６３６に変化させることもできる。このような構成により、３つの光源の発する光の第１色度６１０、第２色度６２０、及び第３色度６３０が成す三角形の領域の中の有彩色と無彩色との間で合算光を変化させることができ気分により第１色度を選択することも可能となる。
【００４９】
例えばある実施形態においては、ユーザは、第１色度として、６１５、６２５、及び６３５のうちから１つを選択し、入力装置１１０に入力する。入力装置１１０は、ユーザが選択した第１色度（例えば６１５）を受け取る。この場合、光源１３０は、選択された第１色度６１５から第２色度６１６の範囲内で連続的に変化する合算光を発することができる。これにより照明装置１００は、ユーザが選択した色度変化を実現できる。
【００５０】
ある実施形態においては、合算光の強度において、第１色度における強度が第２色度における強度よりも大きい。これにより無彩色側である第２色度が暗く感じられ、ユーザのリラックス効果を改善できる。
【００５１】
ある実施形態においては、時間に対する色度の変化割合において、第１色度近傍での変化割合が第２色度近傍での変化割合より大きい。ユーザが色度変化に敏感な無彩色側である第２色度近傍での変化を少なくすることによって、ユーザのリラックス効果を改善できる。
【００５２】
ある実施形態においては、時間に対する合算光の強度の変化割合は、第１色度近傍での変化割合が第２色度近傍での変化割合より大きい。これによりユーザが光の強度変化に敏感な無彩色側である第２色度近傍での変化を少なくすることによって、ユーザのリラックス効果を改善できる。
【００５３】
合算光の「強度」とは、本来的には光源の光束（視感度曲線が施されている）を指す。場合によっては合算光の「強度」は、照明装置の発光面（グローブ、カバー等）、または壁の照射面等の輝度を指すこともある。本開示では、これらを総称して単に強度と呼ぶ。
【００５４】
図７は、光源１３０の合算光の色度と第２色度との色度差変化７００を示す図である。色度差変化７００は、合算光の色度が第１色度と等しいときに最大値をとり、そのとき色度差は、第１色度と第２色度との差分である。色度差変化７００は、合算光の色度が第２色度と等しいときに最小値をとり、そのとき色度差は０である。第１色度から第２色度へ変化し、再び第２色度から第１色度へ戻る第１周期をＴ１とし、順次、第２周期をＴ２とし、第３周期をＴ３とする。このときＴ１＜Ｔ２＜Ｔ３である。すなわち第１色度と第２色度との間で連続的に反復して変化する周期が、単調に増加する。平常時の呼吸の周期は約２秒から６秒である。これに対して深呼吸は、約１０秒である。したがって例えばＴ１＝１秒から始め、第ｎ周期Ｔｎ（ｎは正の整数）＝１０秒まで、色度変化の周期を単調に増加するよう制御することによって、ユーザに対するリラックス効果を改善できる。
【００５５】
ハードウェア
図８は、制御部１２２の構造を示すブロック図である。制御部１２２は、プロセッサ８１０、メモリ８２０、及び入出力部８３０を含む。プロセッサ８１０は、例えば図２に示すような色度変化を光源１３０の出力に与える処理を実行する。メモリ８２０は、プロセッサ８１０によって実行される処理に用いられる命令及びパラメータを格納する。入出力部８３０は、プロセッサ８１０の出力に基づいて制御を生成し、駆動部１２４に出力する。入出力部８３０は、プロセッサ８１０の中に組み込まれていてもよい。
【００５６】
制御部１２２と駆動部１２４とが一つの要素（例えば半導体チップ）として実現されてもよい。代替として制御部１２２と駆動部１２４とが一つの筐体内に設けられてもよい。
【００５７】
ソフトウェア
図９は、本開示による色度変化（例えば色度変化２００）を光源１３０の出力に与える処理のアルゴリズム９００を示すフロー図である。９１０において、プロセッサ８１０は、入出力部８３０からデータを受け取る。このデータは、例えば、ユーザが入力装置１１０に入力した照明装置１００の動作モードを示すデータである。９２０において、プロセッサ８１０は、メモリ８２０から色度変化に関するデータを受け取る。９３０において、プロセッサ８１０は、受け取られたデータに基づいて駆動部１２４に制御信号を出力する。必要に応じ、制御が９３０から９１０に戻ることによって、アルゴリズム９００を繰り返し実行してもよい。
【００５８】
本開示における装置、システム、又は方法の主体は、コンピュータ（例えば制御部１２２）を備えている。このコンピュータがプログラム（例えばアルゴリズム９００）を実行することによって、本開示における装置、システム、又は方法の主体の機能が実現される。コンピュータは、プログラムに従って動作するプロセッサを主なハードウェア構成として備える。プロセッサは、プログラムを実行することによって機能を実現することができれば、その種類は問わない。プロセッサは、半導体集積回路（ＩＣ）、又はＬＳＩ（large scale integration）を含む一つ又は複数の電子回路で構成される。複数の電子回路は、一つのチップに集積されてもよいし、複数のチップに設けられてもよい。複数のチップは一つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００５９】
合算光の刺激純度の周期的変化
図１０は、合算光の刺激純度の周期的変化の振幅及び周期を表す図である。図１０で縦軸は刺激純度を、横軸は時間を表す。期間ａにおいて、刺激純度の最大値及び最小値の差（単に「刺激純度の差」ともいう）はＤａであり、刺激純度の変化の周期はＴａである。期間ｂにおいて、刺激純度の最大値及び最小値の差はＤｂであり、刺激純度の変化の周期はＴｂである。ある実施形態において制御部１２２は、合算光の刺激純度を例えば図１０のように変化させる。
【００６０】
ある実施形態において、刺激純度の変化の周期及び差について、Ｔａ＜ＴｂならＤａ＞Ｄｂが成り立つ。すなわち、刺激純度の変化の周期がより長い期間においては、刺激純度の差はより小さい。人間の目は、刺激純度の変化の周期が長いと目の色順応がより進むので、周期が短い場合と比較して補色を感じやすい。周期により色変化の幅を制御することで、色変化を与えつつ補色知覚の発生を防ぎ、より効果的な呼吸リズムの補助を実現できる。
【００６１】
刺激純度の最小値は、等エネルギー白色（無彩色）であり得る。刺激純度の最大値は、単色光（有彩色）であり得る。周期的変化の波形（パターン）は、図１０に示されるサイン波が好ましいが、これには限定されない。周期的変化の波形は、例えば、矩形波や三角波であっても、刺激純度増加方向と減少方向での変化率が同じでなくてもよい。
【００６２】
図１０での期間ａから期間ｂへの変化のように、合算光の刺激純度の変化は、時間経過に伴い、周期がより長く刺激純度の差がより小さくなる方向への単調な変化であり得る。このような変化により、ユーザの心理状態は、平常時の状態からよりリラックスした状態（睡眠状態を含む）へと誘導され得る。
【００６３】
しかし合算光の刺激純度の変化は、これには限定されず、例えば、図１０とは逆の期間ｂから期間ａへの変化のように、時間経過に伴い、周期が短く刺激純度の差が大きくなる方向への単調な変化であってもよい。このような変化により、ユーザの心理状態は、リラックスした状態から平常時の状態へと誘導され得る。
【００６４】
合算光の刺激純度の変化は、期間ａから期間ｂへ変化し、その後、再び期間ｂから期間ａへと戻り、以後、これを繰り返してもよい。
【００６５】
図１１は、合算光の刺激純度の周期的変化の振幅及び周期を表す図である。図１１で縦軸は刺激純度を、横軸は時間を表す。ある実施形態において制御部１２２は、合算光の刺激純度を例えば図１１のように変化させる。
【００６６】
図１１の時刻の早いものから順に周期をＴ１、Ｔ２、Ｔ３、Ｔ４、…とすると、図１１において、周期は、Ｔ１≦Ｔ２≦Ｔ３≦Ｔ４…を満たし、刺激純度の差は、Ｄ１≧Ｄ２≧Ｄ３≧Ｄ４…を満たす。すなわち周期は単調に増加し、刺激純度の差は単調に減少する。ここで「単調に増加する」、及び「単調に減少する」とは、局所的に値が変化しない（例えばＴ１＝Ｔ２、Ｄ１＝Ｄ２）場合も含む。図１１の合算光の刺激純度の周期的変化によれば、ユーザの心理状態は、平常時の状態からよりリラックスした状態へと誘導され得る。
【００６７】
図１２は、合算光の刺激純度の周期的変化の振幅及び周期を表す図である。図１２で縦軸は刺激純度を、横軸は時間を表す。ある実施形態において制御部１２２は、合算光の刺激純度を例えば図１２のように変化させる。図１２において、周期Ｔｉは、ヒトの呼吸にふさわしい範囲の値をとる。例えば、周期Ｔｉは、最小値として約３秒を、最大値として約１２秒をとり得る。
【００６８】
上述のさまざまな実施形態において、合算光の刺激純度が高い（第１色度に近い）ほど、合算光の強度は大きいように、制御部１２２は光源１３０を制御する。合算光の強度が大きいと吸気し易く感じるので、このような制御により、ユーザは、合算光の変化をより自然なものとして感じることができる。
【００６９】
ある実施形態においては、２つの照明装置１００（第１照明装置及び第２照明装置という）を備える照明システムを実現できる。このとき、第２照明装置は、合算光の色度を連続的に反復して変化させるタイミングに関連付けられた信号を、第１照明装置から受け取る受信機を有する。第２照明装置の制御部１２２は、受け取られた信号に応答して合算光の色度を連続的に反復して変化させる。このような構成により、複数の照明装置１００を同期させて用いることができる。
【００７０】
上に説明されてきたものには、本発明のさまざまな例が含まれる。本発明を記載する目的では、要素や手順の考えられるあらゆる組み合わせを記載することは当然のことながら不可能であるが、当業者なら本発明の多くのさらなる組み合わせおよび順列が可能であることがわかるだろう。したがって本発明は、特許請求の範囲の精神および範囲に入るそのような改変、変更および変形例を全て含むよう意図される。
【符号の説明】
【００７１】
１００  照明装置
１２０  制御装置
１２２  制御部
１２４  駆動部
１３０  光源
１３２  第１光源
１３４  第２光源
【図１】
2019098134.tif 000007
【図２】
2019098134.tif 000008
【図３】
2019098134.tif 000009
【図４】
2019098134.tif 000010
【図５】
2019098134.tif 000011
【図６】
2019098134.tif 000012
【図７】
2019098134.tif 000013
【図８】
2019098134.tif 000014
【図９】
2019098134.tif 000015
【図１０】
2019098134.tif 000016
【図１１】
2019098134.tif 000017
【図１２】
2019098134.tif 000018